(57)【特許請求の範囲】
【請求項１】
ストレーナの流路内に着脱可能に装着され、流体が流入する流入開口を有したカップ状のストレーナ用スクリーンにおいて、
一端側の開口を上記流入開口として構成する筒体及び該筒体の他端側の開口を塞ぐ底板からなる網状部材と、該網状部材の流入開口端部の外周を囲繞する開放口を有し該網状部材を挿脱可能に保持する筒状のフレームとから構成し、
上記網状部材の流入開口端部の外周が上記フレームの開放口の内周に接合若しくは近接するように該網状部材の流入開口端部の外径を該網状部材の一般部の外径よりも拡径し、
上記筒体の一般部の外径をＤｓ、上記筒体の流入開口端部の外径をＤａ、上記フレームの開放口の内径をＤｆ、網状部材の目の開口幅をＭとしたとき、Ｄｓ＜（Ｄｆ−Ｍ）≦Ｄａにし、
上記流入開口端部を上記筒体の他端側から一端側に向けてテーパ状に拡径したことを特徴とするストレーナ用スクリーン。
【請求項２】
上記網状部材の筒体と底板とを分離可能にし、
上記フレームを、上記底板を支承する支承面を有したリング状の支承リングと、上記筒体の流入開口端部を囲繞する開放口を有したリング状の開口リングと、上記支承リング及び開口リングを連結し上記筒体を抱持する空間を形成する複数のリブとで構成したことを特徴とする請求項１記載のストレーナ用スクリーン。
【請求項３】
筒体の一般部の外径をＤｓ、底板の外径をＤｂ、上記フレームの開放口の内径をＤｆとしたとき、Ｄｓ＜Ｄｆ＜Ｄｂに設定し、上記底板を上記リブ間から挿入して上記支承リングの支承面に装着可能に上記リブを設けたことを特徴とする請求項２記載のストレーナ用スクリーン。
【請求項４】
上記網状部材の筒体と底板とを、夫々、多数の小孔を有した金属製パンチ板で形成された外側部材と、該外側部材の内側に溶接により付設され金属製ネットで形成された内側部材とを備えて構成したことを特徴とする請求項２または３記載のストレーナ用スクリーン。
【請求項５】
上記請求項１乃至４何れかに記載のストレーナ用スクリーンを装着したことを特徴とするストレーナ。
【発明の詳細な説明】
【技術分野】
【０００１】
本発明は、水，油等の流体の流れる管路に用いられるストレーナの流路内に装着されゴミ等の異物を濾過するストレーナ用スクリーン及びこれを備えたストレーナに関する。
【背景技術】
【０００２】
従来、ストレーナとしては、例えば、本願出願人が先に提案したものが知られている（特許第４２７２９０７号公報に掲載）。図９に示すように、このストレーナＳａは、流入口２０１及び流出口２０２を有した流路を有した本体２００と、本体２００の流路内に着脱可能に装着され流体が流入する流入開口２１１を有したカップ状のスクリーン２１０とを備えて構成されている。スクリーン２１０は、前後一対のリング状のフレーム２１０ａに、筒状の網状部材２１０ｂを溶接により一体形成したものである。本体２００は、その流路を直線状とする管体で形成されており、側壁にはスクリーン２１０の出し入れを行なうための出入用孔２０３が形成され、流入口２０１側の流路を形成する側壁内周にはスクリーン２１０の装着時にスクリーン２１０の流入開口端面２１２が押圧されて密着する受面２０４を有した受部２０５が形成され、流路を形成する内壁には、本体２００の軸線と挿入時のスクリーン２１０の軸線とが同軸になるようにスクリーン２１０を支持してガイドするガイド突起２０６が設けられている。このガイド突起２０６のスクリーン２１０と当接する当接面はスクリーン２１０の外側に沿うように円周面に形成されている。
【０００３】
また、このストレーナＳａは、出入用孔２０３を開閉する蓋２０７を備え、スクリーン２１０の流入開口端面２１２を本体２００の受面２０４に押圧する押圧手段２２０を備えている。この押圧手段２２０は、本体２００の流路を形成する内壁であってスクリーン２１０の底部２１３よりも流出口２０２側に設けられる雌ネジ部２２１と、一端側２２４ａに雌ネジ部２２１に螺合される雄ネジ部２２２を有するとともに他端側２２４ｂに締め付け具により回転させられるボルト頭２２３を有したボルト２２４と、ボルト２２４に同軸に設けられボルト２２４の他端側２２４ｂに向けて末広がりの円錐台部２２５と、円錐台部２２５の円錐面２２５ａに当接するテーパ面２２６ａを有しボルト２２４の雌ネジ部２２１に対するねじ込みによりスクリーン２１０の流入開口端面２１２を本体２００の受面２０４に押圧する押圧部材２２６とを備えて構成されている。
【０００４】
スクリーン２１０を本体２００に装着するときは、蓋２０７を取り外して出入用孔２０３を開にし、スクリーン２１０を出入用孔２０３から本体２００内に入れてガイド突起２０６に載置し、スクリーン２１０の流入開口端面２１２を本体２００の受面２０４に対峙させる。それから、押圧手段２２０によりスクリーン２１０の流入開口端面２１２を本体２００の受面２０４に押圧する。詳しくは、ボルト２２４の雄ネジ部２２２を本体２００の雌ネジ部２２１に螺合し、ボルト２２４のボルト頭２２３を締め付け具で回転させてボルト２２４を本体２００にねじ込む。この際、円錐台部２２５の円錐面２２５ａが、押圧部材２２６に設けられるテーパ面２２６ａを徐々に押し下げ、押圧部材２２６はスクリーン２１０の底部２１３に固着され、またスクリーン２１０はガイド突起２０６に載置されていることからボルト２２４の軸方向に移動せず、ガイド突起２０６の円周面に沿って流入口２０１側に進み、スクリーン２１０の流入開口端面２１２が本体２００の受部２０５の受面２０４に密着する。その後、蓋２０７を出入用孔２０３に被せて出入用孔２０３を閉にする。
このようにスクリーン２１０が装着されたストレーナＳａに流入口２０１から流体が流入すると、この流体に混在する異物がスクリーン２１０で濾過されて流出口２０２から流出するようになる。
【先行技術文献】
【特許文献】
【０００５】
【特許文献１】特許第４２７２９０７号公報
【発明の概要】
【発明が解決しようとする課題】
【０００６】
ところで、上記従来のストレーナ用スクリーン２１０は、ストレーナＳａの使用に伴い、しばしば損傷したり破損したりすることがあり、この場合には交換を行うが、フレーム２１０ａと網状部材２１０ｂとが一体に形成されているので、全部を交換することになることから、それだけ、コスト高になっているという問題があった。そのため、フレーム２１０ａと網状部材２１０ｂとを別体に作成し、網状部材２１０ｂをフレーム２１０ａに対して挿入して組み付けるようにし、交換の際には、網状部材２１０ｂのみを交換することで対処できるようにすることが考えられるが、網状部材２１０ｂとフレーム２１０ａとの間に隙間が生じやすくなり、濾過精度が低下する懸念がある。
【０００７】
本発明は上記の問題点に鑑みて為されたもので、網状部材とフレームとを別体にして、交換の際には網状部材のみを交換できるようにしてコストダウンを図るとともに、網状部材の流入開口端部の外周とフレームの開放口の内周との間に隙間が生じないようにして、濾過精度の向上を図ったストレーナ用スクリーン及びストレーナを提供することを目的とする。
【課題を解決するための手段】
【０００８】
このような目的を達成するため、本発明のストレーナ用スクリーンは、ストレーナの流路内に着脱可能に装着され、流体が流入する流入開口を有したカップ状のストレーナ用スクリーンにおいて、
上記スクリーンを、一端側の開口を上記流入開口として構成する筒体及び該筒体の他端側の開口を塞ぐ底板からなる網状部材と、該網状部材の流入開口端部の外周を囲繞する開放口を有し該網状部材を挿脱可能に保持する筒状のフレームとから構成し、
上記網状部材の流入開口端部の外周が上記フレームの開放口の内周に接合若しくは近接するように該網状部材の流入開口端部の外径を該網状部材の一般部の外径よりも拡径した構成としている。
【０００９】
これにより、網状部材とフレームとを別体に形成したので、フレームを例えば金属の鋳物製にすることができ、製造を容易にすることができる。また、フレームに網状部材を組付けるときは、フレームに網状部材を挿入していく。そして、最後に網状部材の流入開口端部をフレームの開放口に挿入する。この網状部材の流入開口端部をフレームの開放口に押し込む際には、流入開口端部が開放口に接合若しくは近接するように拡径しているので、流入開口端部の外周がフレームの開放口に押されて縮径することなく挿入され、あるいは、流入開口端部の外周がフレームの開放口に押されて多少縮径して、フレームの開放口に挿入されていく。流入開口端部の外周がフレームの開放口の内周に接合する場合には、フレームの開放口に押されて多少の抵抗はあるが、流入開口端部の挿入は最後の僅かな挿入なので、挿入作業に支障を与えることはない。そのため、網状部材をフレームに挿入するだけの簡単な操作でよいので組付けが容易に行われる。また、網状部材がフレームに挿入された状態では、流入開口端部が開放口に接合若しくは近接する。
【００１０】
このように組付けられたスクリーンをストレーナに装着して用いると、ストレーナに流体が流入すると、網状部材の流入開口端部から流体が流入してこの流体に混在する異物が網状部材で濾過されて流出していく。この場合、網状部材の流入開口端部の外周がフレームの開放口の内周に接合若しくは近接しているので、この流入開口端部と開放口との間に隙間が生じることがなく、また、生じても網状部材の網目の開口幅よりも小さくすることができることから、ゴミ等の異物がスクリーンに濾過されずに通過してしまう事態を防止することができ、濾過精度を向上させることができる。
また、ストレーナの使用に伴い、網状部材がしばしば損傷したり破損したりすることがあり、この場合には交換を行うが、フレームと網状部材とが別体に形成されているので、フレームはそのまま残し、網状部材のみを交換することで対処できるようになり、それだけ、コストダウンを図ることができる。
【００１１】
そして、より具体的には、上記筒体の一般部の外径をＤｓ、上記筒体の流入開口端部の外径をＤａ、上記フレームの開放口の内径をＤｆ、網状部材の目の開口幅をＭとしたとき、Ｄｓ＜（Ｄｆ−Ｍ）≦Ｄａにした構成としている。Ｄｓ＜Ｄｆ≦Ｄａにすることでも良い。スクリーンの大きさや、網状部材の目の開口幅Ｍによっても異なるが、寸法単位をｍｍとしたとき、Ｄｓ＝Ｄｆ−（０．３〜０．８ｍｍ）、Ｄａ＝Ｄｆ＋（−Ｍ〜０．５ｍｍ）が良い。望ましくは、Ｄａ＝Ｄｆ＋（０〜０．２ｍｍ）、より望ましくは、Ｄａ＝Ｄｆ＋（０〜０．１ｍｍ）である。網状部材の目の開口幅Ｍとしては、例えば、２０メッシュのもので、Ｍ＝１ｍｍ、４０メッシュのもので、Ｍ＝０．５ｍｍ、６０メッシュのもので、Ｍ＝０．３ｍｍ、８０メッシュのもので、Ｍ＝０．２ｍｍ、１００メッシュのもので、Ｍ＝０．１５ｍｍ、２００メッシュのもので、Ｍ＝０．０８ｍｍになる。網状部材としては、ストレーナの使用条件に応じこれらの種々のメッシュのもの、例えば、Ｍ≦０．５ｍｍのものが選択される。
網状部材の一般部は小径なのでこれを容易かつ確実にフレームの開放口から挿入することができるとともに、最後に網状部材の流入開口端部をフレームの開放口に挿入する際の抵抗が低減されるので、網状部材をフレームに容易に挿入することができる。また、筒体の流入開口端部の外径Ｄａがフレームの開放口の内径Ｄｆより小さい場合でも、クリアランスが網状部材の目の開口幅Ｍより大きくなることはないので、ろ過精度を損なうことがない。
【００１２】
また、必要に応じ、上記流入開口端部を上記筒体の他端側から一端側に向けてテーパ状に拡径した構成としている。テーパ状なので、網状部材の流入開口端部をフレームの開放口に押し込む際の抵抗がより一層低減され、網状部材をフレームに容易に挿入することができる。
【００１３】
更に、必要に応じ、上記網状部材の筒体と底板とを分離可能にし、
上記フレームを、上記底板を支承する支承面を有したリング状の支承リングと、上記筒体の流入開口端部を囲繞する開放口を有したリング状の開口リングと、上記支承リング及び開口リングを連結し上記筒体を抱持する空間を形成する複数のリブとで構成している。
これにより、網状部材を筒体と底板とを分離可能にしたので、網状部材の掃除が極めて容易になる。また、フレームを開口リング，支承リング及び複数のリブで構成しているので、網状部材がフレームから露出する面積が大きくなり、そのため、スクリーンで濾過した流体を円滑に流出させることができる。
【００１４】
更にまた、必要に応じ、筒体の一般部の外径をＤｓ、底板の外径をＤｂ、上記フレームの開放口の内径をＤｆとしたとき、Ｄｓ＜Ｄｆ＜Ｄｂに設定し、上記底板を上記リブ間から挿入して上記支承リングの支承面に装着可能に上記リブを設けた構成としている。
網状部材をフレームに挿入するときは、底板をリブとリブの間からフレーム内に挿入して支承リングの支承面に装着させ、その後、筒体を開口リングの開放口からフレーム内に挿入して底板に接するまで押し込むことにより行なう。
これにより、底板の外径が筒体の外径よりも大きく形成されているので、筒体で底板を押さえることができ、そのため、底板を筒体と支承リングとで挾持することができるので、底板を確実に保持することができる。
【００１５】
また、必要に応じ、上記網状部材の筒体と底板とを、夫々、多数の小孔を有した金属製パンチ板で形成された外側部材と、該外側部材の内側に溶接により付設され金属製ネットで形成された内側部材とを備えて構成している。網状部材は、金属製パンチ板と金属製ネットとの２層構造なので、強度が高く、また、上記の拡径加工も容易に行うことができる。
【００１６】
そしてまた、上記の目的を達成するため、本発明のストレーナは、上記のストレーナ用スクリーンを装着したストレーナにある。これにより、ストレーナに流体が流入すると、網状部材の流入開口端部から流体が流入してこの流体に混在する異物が網状部材で濾過されて流出していく。この場合、網状部材の流入開口端部の外周がフレームの開放口の内周に接合若しくは近接しているので、この流入開口端部と開放口との間に隙間が生じることがなく、また、生じても網状部材の網目の開口幅よりも小さくすることができることから、ゴミ等の異物がスクリーンに濾過されずに通過してしまう事態を防止することができ、濾過精度を向上させることができる。
【発明の効果】
【００１７】
本発明によれば、網状部材とフレームとを別体に形成したので、フレームを例えば金属の鋳物製にすることができ、製造を容易にすることができる。また、フレームに網状部材を組付けるときは、網状部材をフレームに挿入するだけの簡単な操作でよいので組付けを容易に行うことができ、組付け性を向上させることができる。また、このスクリーンを用いたストレーナにおいては、ストレーナに流体が流入すると、網状部材の流入開口端部から流体が流入してこの流体に混在する異物が網状部材で濾過されて流出していくが、この場合、網状部材の流入開口端部の外周がフレームの開放口の内周に接合若しくは近接しているので、この流入開口端部と開放口との間に隙間が生じることがなく、また、生じても網状部材の網目の開口幅よりも小さくすることができることから、ゴミ等の異物がスクリーンに濾過されずに通過してしまう事態を防止することができ、濾過精度を向上させることができる。
更に、ストレーナの使用に伴い、網状部材がしばしば損傷したり破損したりすることがあり、この場合には交換を行うが、フレームと網状部材とが別体に形成されているので、フレームはそのまま残し、網状部材のみを交換することで対処できるようになり、それだけ、コストダウンを図ることができる。
【図面の簡単な説明】
【００１８】
【図１】本発明の実施の形態に係るストレーナ用スクリーン及びこれが用いられるストレーナを示す分解斜視図である。
【図２】本発明の実施の形態に係るストレーナ用スクリーンにおいて、筒体の構成を示す図であり、（ａ）は縦断面図、（ｂ）は横断面図である。
【図３】本発明の実施の形態に係るストレーナ用スクリーンを示す縦断面図である。
【図４】本発明の実施の形態に係るストレーナ用スクリーンにおいてストレーナに装着する際の状態を示す縦断面図である。
【図５】本発明の実施の形態に係るストレーナ用スクリーンにおいてストレーナに装着した状態を示す図であり、（ａ）は縦断面図、（ｂ）は蓋を取った状態の平面図である。
【図６】本発明の実施の形態に係るストレーナ用スクリーンに係り、（ａ）は実施の形態に係るスクリーンにおいてストレーナに装着した状態を示す図５中Ａ部拡大断面図、（ｂ）は網状部材の拡径加工をしない比較例についてストレーナに装着した状態を示す図５中Ａ部相当拡大断面図である。
【図７】本発明の実施の形態に係るストレーナ用スクリーンにおいて別のストレーナに装着した状態を示す縦断面図である。
【図８】本発明の別の実施の形態に係るストレーナ用スクリーン及びストレーナを示す縦断面図である。
【図９】従来のストレーナの一例を示す図である。
【発明を実施するための形態】
【００１９】
以下、添付図面に基づいて本発明の実施の形態に係るストレーナ用スクリーン及びこれを用いたストレーナについて詳細に説明する。
図１乃至図６には、本発明の実施の形態に係るストレーナ用スクリーン及びこれを用いたストレーナを示している。ストレーナＳの基本的構成は、流入口２及び流出口３を有した流路を有した本体１と、本体１の流路内に着脱可能に装着され流体が流入する流入開口６１ａを有したカップ状のスクリーン５０とを備えてなる。このスクリーン５０の流入開口縁部５０ａは、外側に突出したリング状のフランジ７３を有して形成されている。
【００２０】
本体１は、その流路を直線状とする管体であって鋳物で形成されている。この本体１の流入口２及び流出口３の内縁には、夫々、流体が流れる他の管体に本体１を取り付けるための雌ネジ４が形成されている。また、この本体１の側壁には、スクリーン５０の出し入れを行なうための出入用孔１０が設けられている。この出入用孔１０は円形状に形成されており、この出入用孔の内周に雌ネジ１１が形成されている。
【００２１】
出入用孔１０にはこれを開閉する蓋５が設けられる。この蓋５は、本体１と同様の鋳物で中心軸Ｐを有した柱状に形成されており、出入用孔１１に対応して形成されている。詳しくは、蓋５の外周には出入用孔１０の雌ネジ１１に螺合する雄ネジ６が形成されており、蓋５の雄ネジ６を出入用孔１１の雌ネジ１１にねじ込むことにより、蓋５を出入用孔１１に取り付けるようにしている。また、蓋５の上面には中心軸Ｐを軸心としスパナ等の工具が係合する六角柱状の頭部７が突設されている。一方、蓋５の内側下面には後述の板バネ９１の外径より小さい外径の円柱状の突起８が突設されている。また、蓋５の雄ネジ６の基端には出入用孔１０とのシールを行うリング状のパッキン９が備えられている。
【００２２】
また、本体１の流入口２側の流路を形成する側壁内周には、スクリーン５０の装着時にスクリーン５０の流入開口端面７４ｃが押圧されて密着する受面２１を有した受部２０が形成されている。更に、本体１の出入用孔１０側の受部２０であって受面２１の外側には、後述する舌片８０が押圧されて対峙する対峙面３０が形成されている。この対峙面３０は、受部２０の受面２１の外側を切欠いて形成され、本体１の流出口３側に向けて傾斜形成されている。また、対峙面３０の両側には、対峙面３０に対峙した舌片８０の側面に対面して舌片８０の両側方への移動を規制するストッパ３０ａが設けられている。ストッパ３０ａは対峙面３０を形成するために受部２０を切欠いた部分の両側壁面で構成されている。
【００２３】
更に、本体１の出入用孔１０に対向する側壁側には、本体１の受部２０の受面２１に対峙し受面２１と共同してスクリーン５０のフランジ７３が挿入される溝４１を形成する突起部４０が形成されている。この突起部４０は、その受面２１側の内壁面４０ａが、フランジ７３が溝４１に挿入されたときフランジ７３の裏側外周縁７３ａが当接するとともに、受面２１と内壁面４０ａとの間隔がフランジ７３の挿入方向に沿って漸次小さくなるように傾斜形成されている。また、この突起部４０は、対峙面３０に対して対称位置に一対設けられている。
【００２４】
スクリーン５０は、図１乃至図３，図５及び図６に示すように、一端側の開口を流入開口６１ａとして構成する筒体６１及び筒体６１の他端側の開口を塞ぐ底板６２からなる網状部材６０と、網状部材６０の流入開口端部６１ｂの外周を囲繞する開放口７４ａを有したフランジ７３を有し網状部材６０を挿脱可能に保持する筒状のフレーム７０とから構成されている。
【００２５】
網状部材６０は、例えば、ステンレス等の金属で形成されており、円筒状の筒体６１と円板状の底板６２とが分離可能に形成されている。網状部材６０を筒体６１と底板６２とを分離可能にしたので、網状部材６０の掃除が極めて容易になる。
また、網状部材６０の筒体６１と底板６２とは、夫々、多数の小孔６３を有した金属製パンチ板で形成された外側部材６４と、外側部材６４の内側に溶接により付設され金属製ネットで形成された内側部材６５とを備えて構成されている。図２中、符号６６は、筒体６１の継ぎ目をシールする溶着されたシール板である。内側部材６５を構成する金属製ネットの目の開口幅Ｍ（図３）としては、例えば、２０メッシュのもので、Ｍ＝１ｍｍ、４０メッシュのもので、Ｍ＝０．５ｍｍ、６０メッシュのもので、Ｍ＝０．３ｍｍ、８０メッシュのもので、Ｍ＝０．２ｍｍ、１００メッシュのもので、Ｍ＝０．１５ｍｍ、２００メッシュのもので、Ｍ＝０．０８ｍｍになる。そして、内側部材６５の金属製ネットとしては、ストレーナＳの使用条件に応じこれらの種々のメッシュのもの、例えば、Ｍ≦０．５ｍｍのものが選択される。実施の形態においては、内側部材６５を構成する金属製ネットは、例えば、１００メッシュ（１インチ四方に、１×１０4個の目を持つもの）以上で目の開口幅Ｍが０．１５ｍｍ以下のものが使用される。網状部材６０は、金属製パンチ板と金属製ネットとの２層構造なので、強度が高くなる。
【００２６】
また、網状部材６０において、網状部材６０の流入開口端部６１ｂの外周がフレームの開放口７４ａの内周に接合若しくは近接するように、網状部材６０の流入開口端部６１ｂの外径を、網状部材６０の一般部の外径よりも拡径している。流入開口端部６１ｂは、筒体６１の他端側から一端側に向けてテーパ状に拡径されている。拡径は、例えば、筒体６１をテーパ状の冶具にプレスなどで押圧して成形することにより行う。この場合、網状部材６０は、金属製パンチ板と金属製ネットとの２層構造なので、強度が高く、拡径加工を容易かつ確実に行うことができる。
【００２７】
更に、筒体６１においては、図１乃至図３に示すように、筒体６１の一般部の外径をＤｓ、筒体６１の流入開口端部６１ｂの外径をＤａ、フレーム７０の開放口７４ａの内径をＤｆ、網状部材６０の目の開口幅をＭとしたとき、Ｄｓ＜（Ｄｆ−Ｍ）≦Ｄａにしている。Ｄｓ＜Ｄｆ≦Ｄａにすることでも良い。スクリーンの大きさや、網状部材６０の目の開口幅Ｍによっても異なるが、寸法単位をｍｍとしたとき、Ｄｓ＝Ｄｆ−（０．３〜０．８ｍｍ）、Ｄａ＝Ｄｆ＋（−Ｍ〜０．５ｍｍ）が良い。望ましくは、Ｄａ＝Ｄｆ＋（０〜０．２ｍｍ）、より望ましくは、Ｄａ＝Ｄｆ＋（０〜０．１ｍｍ）である。
例えば、Ｍ≦０．１５ｍｍ（１００メッシュ）のものを選択したときにおいて、Ｄｆ＝４５．０ｍｍの場合、Ｄｓ＝４４．７ｍｍ、Ｄａ＝４５．０ｍｍになるようにしている。
【００２８】
フレーム７０は、底板６２を支承する支承面７１を有したリング状の支承リング７２と、フランジ７３を構成し筒体６１の流入開口端部６１ｂが挿通される開放口７４ａを有したリング状の開口リング７４と、支承リング７２及び開口リング７４を連結し筒体６１を包持する空間を形成する複数のリブ７５（実施の形態では４本）とを備えて構成されている。この支承リング７２，開口リング７４及び複数のリブ７５はステンレス製の鋳物で一体形成されている。網状部材６０とフレーム７０とを別体に形成し、フレーム７０にフランジ７３を形成したので、フランジ７３を金属の鋳物製とすることでフランジ７３の形成が容易になり、そのため、スクリーン５０の製造が極めて容易になる。
また、筒体６１の一般部の外径をＤｓ、底板６２の外径をＤｂ、フレームの開放口７４ａの内径をＤｆとしたとき、Ｄｓ＜Ｄｆ＜Ｄｂに設定し、底板６２をリブ７５間から挿入して支承リング７２の支承面７１に装着可能になるように、リブ７５を設けている。
【００２９】
そしてまた、開口リング７４には、その外側面７４ｂの一部に、対峙面３０に対応して外側面７４ｂから本体１の流出口３側に向けて傾斜する舌片８０が突設されている。舌片８０が後述の押圧手段９０により押圧されて対峙面３０に対峙した状態では、対峙面３０と舌片８０との間には僅かな隙間が生じるようにしている。この隙間により、舌片８０は撓むことができるので、押圧が確実に行われる。また、舌片８０が対峙面３０に対峙した状態では、舌片８０の側面はストッパ３０ａに対面する。
【００３０】
更に、本実施の形態に係るストレーナＳは、フランジ７３が溝４１に挿入された状態で、フランジ７３を本体１の出入用孔１０側から出入用孔１０に対向する側壁側に押圧してフランジ７３の裏側外周縁７３ａを突起部４０の内壁面４０ａに摺接させ、内壁面４０ａによりフランジ７３の流入開口端面７４ｃを受面２１に押圧させる押圧手段９０が設けられている。
【００３１】
この押圧手段９０は、図１，図４及び図５に示すように、舌片８０を押圧するように構成されている。押圧手段９０は、蓋５の内側裏面に設けられ、出入用孔１０の閉時に舌片８０を対峙面３０に対して押圧する弾性部材で構成されている。弾性部材は、円盤状の板バネ９１で形成されており、板バネ９１の外周縁部９１ａが舌片８０の上面に弾接するように、板バネ９１の中心が蓋５の中心に取り付けられている。蓋５の内側裏面には、板バネ９１の外径より小さい外径の突起８が突設されているが、この突起８の先端部（端面）に、板バネ９１の中心が取り付けられている。詳しくは、板バネ９１の中心には挿通孔９２が形成されており、一方、蓋５の突起８にはボルト９３の雄ネジ部９４が螺合する雌ネジ部９５が形成され、ボルト９３の雄ネジ部９４を板バネ９１の挿通孔９２に挿通して雌ネジ部９５にねじ込むことにより、板バネ９１は突起８に取り付けられる。符号９６はボルト頭と板バネ９１との間に介装されるワッシャである。板バネ９１をボルト９３で取り付けるので、取り付けが容易に行われる。
【００３２】
従って、この実施の形態に係るストレーナＳにおいて、スクリーン５０を本体１に装着するときは、図１乃至図３に示すように、先ず、網状部材６０をフレーム７０に挿入してスクリーン５０を形成する。詳しくは、筒体６１の一般部の外径をＤｓ、底板６２の外径をＤｂ、フレームの開放口７４ａの内径をＤｆとしたとき、Ｄｓ＜Ｄｆ＜Ｄｂに設定しているので、先ず、底板６２をリブ７５とリブ７５の間からフレーム７０内に挿入して支承リング７２の支承面７１に装着させ、その後、筒体６１を開口リング７４の開放口７４ａからフレーム７０内に挿入して底板６２に接するまで押し込む。これにより、底板６２の外径が筒体６１の外径よりも大きく形成されているので、筒体６１で底板６２を押さえることができ、そのため、底板６２を筒体６１と支承リング７２とで挾持することができるので、底板６２を確実に保持することができる。
【００３３】
この場合、筒体６１の一般部の外径をＤｓ、筒体６１の流入開口端部６１ｂの外径をＤａ、フレーム７０の開放口７４ａの内径をＤｆ、網状部材６０の目の開口幅をＭとしたとき、Ｄｓ＜（Ｄｆ−Ｍ）≦Ｄａにした構成としていることから、網状部材６０の一般部は小径なのでこれを容易かつ確実にフレーム７０の開放口７４ａから挿入することができるとともに、最後に網状部材６０の流入開口端部６１ｂをフレーム７０の開放口７４ａに挿入する際の抵抗が低減されるので、網状部材６０をフレーム７０に容易に挿入することができる。
【００３４】
特に、図３及び図６に示すように、最後に網状部材６０の流入開口端部６１ｂをフレーム７０の開放口７４ａに押し込む際には、流入開口端部６１ｂが開放口７４ａに接合若しくは近接するように拡径しているので、流入開口端部６１ｂの外周がフレーム７０の開放口７４ａに押されて縮径することなく挿入され、あるいは、流入開口端部６１ｂの外周がフレーム７０の開放口７４ａに押されて多少縮径して、フレーム７０の開放口７４ａに挿入されていく。このとき、流入開口端部６１ｂの外周がフレーム７０の開放口７４ａの内周に接合する場合には、フレーム７０の開放口７４ａに押されて多少の抵抗はあるが、流入開口端部６１ｂの挿入は最後の僅かな挿入なので、挿入作業に支障を与えることはない。そのため、網状部材６０をフレーム７０に挿入するだけの簡単な操作でよいので組付けが容易に行われる。また、流入開口端部６１ｂは筒体６１の他端側から一端側に向けてテーパ状に拡径しているので、網状部材６０の流入開口端部６１ｂをフレーム７０の開放口７４ａに押し込む際の抵抗がより一層低減され、網状部材６０をフレーム７０に容易に挿入することができる。網状部材６０がフレーム７０に挿入された状態では、流入開口端部６１ｂが開放口７４ａに接合若しくは近接する。
【００３５】
このようにして形成されたスクリーン５０を本体１に装着するときは、図４に示すように、本体１の蓋５を取り外して出入用孔１０を開にし、スクリーン５０を出入用孔１０から流路内に入れ、スクリーン５０の舌片８０のある側を本体１の出入用孔１０側に位置させて、スクリーン５０の舌片８０のある側とは反対側のフランジ７３を溝４１に挿入しながら、この舌片８０を対峙面３０に対峙させる。
【００３６】
その後、蓋５の雄ネジ６を出入用孔１０の雌ネジ１１にねじ込み、蓋５を出入用孔１０に取り付ける。これにより、押圧手段９０としての板バネ９１が舌片８０を押圧していき、フランジ７３を本体１の出入用孔１０側から出入用孔１０に対向する側壁側に押圧することができる。この場合、蓋５をねじ込みにより取り付けるので、別途ボルトで取り付ける場合に比較して、取り付けを容易に行うことができる。特に、この蓋５においては、蓋５の回転によって、蓋５の停止位置が異なるが、板バネ９１は、円盤状に形成され、板バネ９１の中心が蓋５の中心に取り付けられているので、蓋５の回転によって、蓋５の停止位置が異なっても、即ち、蓋５の本体１に対する締め付け回転位置がどの向きになっても、板バネ９１による押さえが行われる。
また、この場合、蓋５が回転するので、板バネ９１が舌片８０に対して弾接しながら摺接し、その摩擦力により、舌片８０を介してスクリーン５０が移動し、押圧される舌片８０の位置がずれようとするが、対峙面３０の両側にストッパ３０ａを設けたので、舌片８０はストッパ３０ａに衝止して移動を規制されることになる。そのため、舌片８０が対峙面３０からずれることがなく、舌片８０が対峙面３０からずれて押圧が不十分になったり押圧が行われなくなる等の不具合が防止され、板バネ９１による舌片８０の押さえを確実に行わせることができる。
【００３７】
そして、図５に示すように、この舌片８０の押圧力Ｗにより、舌片８０は開口リング７４の外側面７４ｂから本体１の流出口３側に向けて傾斜しているので、開口リング７４の流入開口端面７４ｃの出入用孔１０側を受面２１に押圧する軸方向の分力Ｗａと、開口リング７４を本体１の出入用孔１０側から出入用孔１０に対向する側壁側に押圧する軸方向を直交する分力Ｗｂとが生じ、この軸方向に直交する分力Ｗｂによってフランジ７３の裏側外周縁７３ａを突起部４０の内壁面４０ａに摺接させ、この内壁面４０ａにより開口リング７４の流入開口端面７４ｃの出入用孔１０側とは反対側を受面２１に押圧することができる。また、板バネ９１は、この外径より小さい外径の突起８に取り付けられているので、板バネ９１の外周縁部９１ａが突起８の外側に突出するので、良く撓むことができ、それだけ、舌片８０の押さえを確実にすることができる。
【００３８】
これにより、フランジ７３の裏側外周縁７３ａが突起部４０の内壁面４０ａを摺接して溝４１に食い込んでいき、この内壁面４０ａにより開口リング７４の流入開口端面７４ｃを受面２１に押圧することができるので、即ち、フランジ７３をその円周の両側から受面２１に押圧することができるので、押圧力が均等に作用し、そのため、フランジ７３の押さえが確実に行なわれる。また、フランジ７３を舌片８０のある部位を含むその円周の３箇所から受面２１に押圧し、しかも、突起部４０は対峙面３０に対して対称位置に位置することから、より一層、押圧力が均等に作用することになり、フランジ７３の押さえが確実に行なわれる。
【００３９】
この場合、突起部４０の内壁面４０ａを利用してフランジ７３の出入用孔１０側を押圧してスクリーン５０を装着でき、また、押圧手段９０を板バネ９１という簡易な要素で構成できるので、従来のように押圧手段をスクリーンの底部を押すような複雑で大型の構造にしなくても済み、押圧手段９０の構造を簡単に且つ小型にすることができ、ストレーナＳを小型化することができる。言い換えれば、スクリーン５０の装着を確実にする押圧手段９０を小型のストレーナＳに容易に適用することができ、そのため、汎用性を大幅に向上させることができる。
【００４０】
このようにスクリーン５０が装着されたストレーナＳに流入口２から流体が流入すると、この流体に混在する異物がスクリーン５０で濾過されて流出口３から流出するようになる。この場合、図６（ａ）に示すように、網状部材６０の流入開口端部６１ｂの外周がフレーム７０の開放口７４ａの内周に接合若しくは近接しているので、この流入開口端部６１ｂと開放口７４ａとの間に隙間が生じることがなく、また、生じても網状部材６０の網目の開口幅Ｍよりも小さくすることができることから、ゴミ等の異物がスクリーンに濾過されずに通過してしまう事態を防止することができ、濾過精度を向上させることができる。実施の形態では、Ｄｓ＜（Ｄｆ−Ｍ）≦Ｄａにしているので、筒体６１の流入開口端部６１ｂの外径Ｄａがフレーム７０の開放口７４ａの内径Ｄｆより小さい場合でも、クリアランスが網状部材６０の目の開口幅Ｍより大きくなることはないので、ろ過精度を損なうことがない。
【００４１】
即ち、図６（ｂ）に示すように、スクリーン５０の流入開口端面７４ｃを受部２０の受面２１に押圧しても、網状部材６０の流入開口端部６１ｂがストレートでその外周とフレーム７０の開放口７４ａの内周との間に網状部材６０の目の開口幅Ｍより大きな隙間があると、この隙間から流体が流れて、この隙間を流れる流体に含まれるゴミ等の異物がスクリーン５０の網状部材６０に濾過されずに通過してしまうことがあり、このため、網状部材６０に目の細かいネットを設けても、実質的に濾過精度を上げることができないことがあるが、本実施の形態に係るスクリーン５０では、これを防止することができる。
また、この場合、フレーム７０を支承リング７２，開口リング７４及び複数のリブ７５で構成しているので、網状部材６０がフレーム７０から露出する面積が大きくなり、そのため、スクリーン５０で濾過した流体を円滑に流出させることができる。
【００４２】
そして、ストレーナＳの使用に伴い、網状部材６０がしばしば損傷したり破損したりすることがあり、この場合には交換を行うが、フレーム７０と網状部材６０とが別体に形成されているので、フレーム７０はそのまま残し、網状部材６０のみを交換することで対処できるようになり、それだけ、コストダウンを図ることができる。
【００４３】
図７には、本発明の実施の形態に係るストレーナ用スクリーン５０を別のストレーナＳに装着した状態を示している。これは、上記のストレーナと異なって、蓋５が本体１に対して複数のボルト１００で押さえつけて固定されるタイプのものである。この場合にも、上記と同様の作用，効果を奏する。
【００４４】
図８には、本発明の別の実施の形態に係るストレーナ用スクリーン５０及びストレーナＳを示している。これは上記と押圧手段９０が異なっている。押圧手段９０は、舌片８０にボルト挿通孔８１を設ける一方、対峙面３０に雌ネジ８２を形成し、ボルト８３を舌片８０のボルト挿通口８１に挿通させて対峙面３０の雌ネジ部８２にねじ込んでボルト８３により舌片８０を対峙面３０に向けて押圧するように構成されている。また、蓋５が本体５に対して複数のボルト１００で押さえつけて固定されるタイプのものである。この場合にも、網状部材６０の流入開口端部６１ｂの外周がフレーム７０の開放口７４ａの内周に接合しているので、この流入開口端部６１ｂと開放口７４ａとの間に隙間が生じることがなく、また、生じても網状部材６０の網目の開口幅Ｍよりも小さくすることができることから、ゴミ等の異物がスクリーンに濾過されずに通過してしまう事態を防止することができ、濾過精度を向上させることができる等、上記と同様の作用，効果を奏する。
【００４５】
尚、上記実施の形態において、スクリーン５０のストレーナＳの本体１に対する装着は、上述したものに限定されるものではなく、例えば、従来のようにスクリーンの底板６２側から押さえるタイプのものでも良く、適宜変更して差し支えない。
また、上記実施の形態において、網状部材６０を筒体６１と底板６２とに分離したが必ずしもこれに限定されるものではなく、一体でも良い。更に、上記実施の形態においては、網状部材６０の筒体６１と底板６２とを、夫々、外側部材６４と内側部材６５との２重構造にしたが、必ずしもこれに限定されるものではなく、単体で構成しても良く適宜変更して差し支えない。
尚また、上記実施の形態において、網状部材６０のネットを１００メッシュ以上で目の開口幅Ｍが０．１５ｍｍ以下のものを使用したが、必ずしもこれに限定されるものではなく、流路を流れる流体に含まれるゴミ等の異物を濾過して分離できれば良く、適宜変更して差支えない。
【符号の説明】
【００４６】
Ｓ  ストレーナ
Ｗ  押圧力
Ｗａ、Ｗｂ  分力
１  本体
２  流入口
３  流出口
４  雌ネジ
５  蓋
６  雄ネジ
８  突起
１０  出入用孔
１１  雌ネジ
２０  受部
２１  受面
３０  対峙面
３０ａ  ストッパ
４０  突起部
４０ａ  内壁面
４１  溝
５０  スクリーン
５０ａ  流入開口縁部
６０  網状部材
６１  筒体
６１ａ  流入開口
６１ｂ  流入開口端部
６２  底板
６３  小孔
６４  外側部材
６５  内側部材
７０  フレーム
７１  支承面
７２  支承リング
７３  フランジ
７３ａ  裏側外周縁
７４  開口リング
７４ａ  開放口
７４ｂ  外側面
７４ｃ  流入開口端面
７５  リブ
Ｄｓ  筒体６１の一般部の外径
Ｄａ  筒体６１の流入開口端部６１ｂの外径
Ｄｆ  フレーム７０の開放口７４ａの内径
Ｄｂ  底板６２の外径
Ｍ  網状部材６０の網目の開口幅
８０  舌片
８１  ボルト挿通孔
８２  雌ネジ
８３  ボルト
９０  押圧手段
９１  板バネ
９１ａ  外周縁部
９２  挿通孔
９３  ボルト
【図１】
0005774345.tif 000002
【図２】
0005774345.tif 000003
【図３】
0005774345.tif 000004
【図４】
0005774345.tif 000005
【図５】
0005774345.tif 000006
【図６】
0005774345.tif 000007
【図７】
0005774345.tif 000008
【図８】
0005774345.tif 000009
【図９】
0005774345.tif 000010